(57)【特許請求の範囲】
【請求項１】
ベッド基台１の中程の位置に、上下貫通状口４を設け、上下貫通状口４に水洗式の便器５を設け、便器５の前部に、水洗式の便座収容室８を設け、ベッド基台１の後部に下半身用ベッド基台１７を設け、下半身用ベッド基台１７の前部に便座１８を設け、便座１８が便座駆動装置１６で便器５の前部の水洗式の便座収容室８に収容された位置で、便器５が便座１８に続く下半身用ベッド基台１７で覆われて、下半身用ベッド基台１７の上面が略水平状となり、便座１８が便座収容室８から便器５の方向に後退して便器５の上に重なった位置で、下半身用ベッド基台前部１９が下半身用ベッド基台駆動装置２４により、傾斜した起立位置にできるように形成し、便器５の前方のベッド基台１に、上半身用ベッド基台３５を上半身用ベッド基台駆動装置４３により、略水平状の位置と、傾斜した起立位置に回動できるように形成し、前記便座収容室８と前記便器５とを連通し、便座収容室８からの洗浄水が便器５に導水されるよう形成したベッドシステム。
【発明の詳細な説明】
【０００１】
【発明の属する技術分野】
本発明は、ベッドに排便機構を設けたベッドシステムに関する。
【０００２】
【従来の技術】
排便機構を備えたベッドに、排便する使用者の上半身と下半身を支える機構を設けたものは、従来種々公開されており、本出願人も種々提案している。そして、その一つとして、特開平７ー５９８１７号公報に記載された排便機構付ベッドシステムがある。
【０００３】
前記排便機構付ベッドシステムは、排便時の使用者の体位を安定させることができ、使用者である患者にとって、精神的な安定感をもたらして、排便をスムースに行わせられるものである。
【０００４】
【発明が解決しようとする課題】
本発明は、排便機構付のベッドを、さらに、排便時の体位を安定させられて、排便をスムースに行なわせられると共に、排便後の操作も安定して容易に行うことができ、かつ、便座も洗浄水を飛散させることなく充分に洗浄できるようにすることを課題とする。
【０００５】
【課題を解決するための手段】
第１の発明は、ベッド基台１の中程の位置に、上下貫通状口４を設け、上下貫通状口４に水洗式の便器５を設け、便器５の前部に、水洗式の便座収容室８を設け、ベッド基台１の後部に下半身用ベッド基台１７を設け、下半身用ベッド基台１７の前部に便座１８を設け、便座１８が便座駆動装置１６で便器５の前部の水洗式の便座収容室８に収容された位置で、便器５が便座１８に続く下半身用ベッド基台１７で覆われて、下半身用ベッド基台１７の上面が略水平状となり、便座１８が便座収容室８から便器５の方向に後退して便器５の上に重なった位置で、下半身用ベッド基台前部１９が下半身用ベッド基台駆動装置２４により、傾斜した起立位置にできるように形成し、便器５の前方のベッド基台１に、上半身用ベッド基台３５を上半身用ベッド基台駆動装置４３により、略水平状の位置と、傾斜した起立位置に回動できるように形成し、前記便座収容室８と前記便器５とを連通し、便座収容室８からの洗浄水が便器５に導水されるよう形成したベッドシステムとした。
【０００７】
【発明の実施の形態】
以下図に基づいて本発明の実施の形態の説明をするが、この明細書では、ベッドにおいて、使用者の頭部を支える側、すなわち、図で右側となる部分を前部と記載し、使用者の足を支える側、すなわち、図で左側となる部分を後部と記載している。
【０００８】
この実施の形態のベッド基台１は、下端部に自在輪３を設けた４本の脚２によって支持されている。そして、図１及び図５に示すように、ベッド基台１の後部寄りの中程の位置に、上下貫通状口４を設けてある。
【０００９】
そして、上下貫通状口４には、図示してない水噴出ノズルを備えた水洗式の便器５を設けてあり、この便器５の排出物は、便器５の底部の排出溝６から排出管７を経て、外部に排出されるように形成してある。
【００１０】
そして、便器５の前部には、図示してない水噴出ノズルを備えた水洗式の便座収容室８を、便座収容室８内が便器５内と連通するようにして設けてある。
そして、前記便器５は、便座収容室８に噴出して、便座１８を洗浄した後、その水を使って便器５を洗浄するように形成することも可能である。
【００１１】
そして、ベッド基台１の後部に、下半身用ベッド基台１７を前後摺動可能に設けてあり、下半身用ベッド基台１７の前端部を、第１軸２０で便座１８の後部に回動可能に軸着して設けてある。
【００１２】
そして、下半身用ベッド基台１７の前部である下半身用ベッド基台前部１９・１９は、前記の第１軸２０のほかに第２軸２１及び第３軸２２で軸着されており、この第１軸２０と第２軸２１及び第３軸２２で屈曲できるように形成してある。
【００１３】
そして、下半身用ベッド基台１７の上面には、図１及び図７に示す（図７では半裁して示す）、後部用マット２７が着脱可能に装着されている。
そして、下半身用ベッド基台１７の前部に設けた、図４に示す便座１８は、便座１８の後端部に接続して設けた便座駆動装置１６で、ベッド基台１上を前後に移動できるように形成してある。なお、前記便座１８は、２つの直線状の部材として形成されているが、便座１８は、湾曲して形成してもよい。
【００１４】
そして、便座１８が便器５の前方に前進して、便器５の前部の水洗式の便座収容室８に収容された位置で、便器５が便座１８に続く下半身用ベッド基台１７で覆われて、下半身用ベッド基台１７の上面が略平面状となるように形成してある。
【００１５】
そして、便座１８が便座駆動装置１６で後退させられると共に、下半身用ベッド基台駆動装置２４の先端部２５が下半身用ベッド基台前部１９を上方に押し上げることにより、下半身用ベッド基台前部１９・１９が上方に山形に突出するように形成してある。
【００１６】
そして、この実施の形態では、下半身用ベッド基台前部１９が、図３に示す直線状の形から、図１に示す山形に移り易くするため、下半身用ベッド基台前部１９を山形に変化させる向きに押す付勢具２６が設けてある。
【００１７】
そして、便器５の前方のベッド基台１には、下半身用ベッド基台１７と対向する上半身用ベッド基台３５を、上半身用ベッド基台駆動装置４３により、図３に示す略水平状の位置と図１に示す傾斜した起立位置に、上半身用ベッド基台３５の後部を回動の中心として回動できるように形成してあり、上面には前部用マット４５が、着脱可能に装着されている。
【００１８】
そして、上半身用ベッド基台後部３６の両側には、それぞれ、第１ピン３８と第２ピン４０が図５・図６に示すように設けてある。
そして、上半身用ベッド基台３５を起立させるときは、図１及び図６に示すように、第１ピン係合具３９に第１ピン３８を係合し、第２ピン４０を第２ピン係合具４１から外すと、上半身用ベッド基台３５を、上半身用ベッド基台駆動装置４３で起立できるように形成してある。
【００１９】
そして、図１及び図２に示す、便座１８が便器５の上方に重なり、下半身用ベッド基台前部１９・１９が上方に山形に突出し、上半身用ベッド基台３５が傾斜した起立状態に在るベッドシステムは、便座駆動装置１６と下半身用ベッド基台駆動装置２４を、便座１８を使用しようとするときと逆向きに駆動すると、便座１８が便座収容室８内に収容されて洗浄されるように形成してある。
【００２０】
そして、便座１８が便座収容室８内に収容されるに伴い、山形に上方に突出していた下半身用ベッド基台前部１９・１９が平面状となるように形成してある。
また、上半身用ベッド基台３５は、上半身用ベッド基台３５を起立させるときと逆向きに、上半身用ベッド基台駆動装置４３を駆動すると、上半身用ベッド基台３５が、略水平状となるように形成してある。
【００２１】
そして、前記の上半身用ベッド基台３５が上半身用ベッド基台駆動装置４３で略水平状となるとともに、下半身用ベッド基台１７が下半身用ベッド基台駆動装置２４で略水平状になる前（上半身用ベッド基台後端部３７と下半身用ベッド基台前端部２３が近接する前）に、ベッド基台１に設けた第１ピン係合具３９から、第１ピン３８がピン駆動装置４２で外れるように形成してある。
【００２２】
そして、第１ピン３８が第１ピン係合具３９から外れるとともに、第２ピン４０がピン駆動装置４２で第２ピン係合具４１に係合した上半身用ベッド基台後部３６を、上半身用ベッド基台後端部駆動装置４４で、第２ピン４０を支点として上方に押し上げられるように（使用者の臀部を持ち上げられるように）形成してある。なお、ピン駆動装置４２の作動は、上半身用ベッド基台後部３６が水平位置であれば、上半身用ベッド基台前部３５が傾斜していても可能である。
【００２３】
そして、下半身用ベッド基台１７が略水平状となる前に上半身用ベッド基台後端部３７が上方に押し上げられた上半身用ベッド基台３５（図３参照）は、下半身用ベッド基台駆動装置２４で下半身用ベッド基台１７が略水平状に復帰された後、上半身用ベッド基台後部３６が水平位置に戻るよう形成されている。
【００２４】
すなわち、前述し図３に示す如く、下半身用ベッド基台前端部２３よりも、上半身用ベッド基台後端部３７が上方に在る状態で下半身用ベッド基台１７が略水平状に復帰した後、上半身用ベッド基台後端部駆動装置４４で上半身用ベッド基台後部３６が上半身用ベッド基台３５と同様の水平状に戻る。さらに、ピン駆動装置４２により、第１ピン３８が第１ピン係合具３９に係合し、第２ピン４０は第２ピン係合具４１に係合した状態を維持するように形成してある。
【００２５】
なお、このベッドシステムは、上面に後部用マット２７、前部用マット４５などを載せることによりベッドとして使用できるように形成してあるが、上半身用ベッド基台３５及び下半身用ベッド基台１７自体の表面を弾力性を有する部材にて形成すれば、別部材のマットを装着しなくてもよい。
【００２６】
【発明の効果】
本発明は、下半身用ベッド基台１７の前部に便座１８を設け、便座１８が便器５の前方に前進した位置で、便器５が便座１８に続く下半身用ベッド基台１７で覆われ、便座１８が後退して便器５の上に重なった位置で、便器５が使用できるので、便器５を使用できる状態にし、また、便器５を不使用状態にすることが容易にできる。
【００２７】
そして、本発明は、便器５の前部に水洗式の便座収容室８を設け、便座１８を収容できるように形成しているので、排便に使用した便座１８を、便座収容室８内で周辺に洗浄水を飛散させることなく、充分に洗浄できる。
【００２８】
また、便座収容室８と便器５とを連通させているので、便座１８を洗浄しながら便器５内も洗浄することができ、洗浄水を節約できるとともに、全体の洗浄時間も短時間で済ますことができる。
【図面の簡単な説明】
【図１】本発明の一実施の形態の説明用の側面図
【図２】本発明の一実施の形態の説明用の便器の使用状態を示す側面図
【図３】本発明の一実施の形態の説明用の図で、上半身用ベッド基台後部が水平状態となる直前を示す側面図
【図４】本発明の一実施の形態の説明用の図で、便器が使用できる状態にある平面図
【図５】本発明の一実施の形態の説明用の図で、上半身用ベッド基台後部のピンの位置を示す図
【図６】本発明の一実施の形態の説明用の図で、図５に示すピンを拡大して示す部分図
【図７】本発明の一実施の形態の説明用のベッドシステムの上に敷くマットの半裁図
【符号の説明】
１    ベッドの基台
２    脚
３    自在輪
４    上下貫通状口
５    便器
６    排出溝
７    排出管
８    便座収容室
１６    便座駆動装置
１７    下半身用ベッド基台
１８    便座
１９    下半身用ベッド基台前部
２０    第１軸
２１    第２軸
２２    第３軸
２３    下半身用ベッド基台前端部
２４    下半身用ベッド基台駆動装置
２５    先端部
２６    付勢具
２７    後部用マット
３５    上半身用ベッド基台
３６    上半身用ベッド基台後部
３７    上半身用ベッド基台後端部
３８    第１ピン
３９    第１ピン係合具
４０    第２ピン
４１    第２ピン係合具
４２    ピン駆動装置
４３    上半身用ベッド基台駆動装置
４４    上半身用ベッド基台後部駆動装置
４５    前部用マット
【図１】
0004342630.tif 000002
【図２】
0004342630.tif 000003
【図３】
0004342630.tif 000004
【図４】
0004342630.tif 000005
【図５】
0004342630.tif 000006
【図６】
0004342630.tif 000007
【図７】
0004342630.tif 000008